(57)【要約】【課題】肉厚を薄くしたシースチューブを備えるイントロデューサーを、肉厚を薄くしていない従前のシースチューブを備えるイントロデューサーから容易に区別することができ、さらに、肉厚を薄くしたシースチューブについての内径と外径との関係性を容易に認識することができるイントロデューサーを提供する。【解決手段】イントロデューサー１０は、イントロデューサー用シース２０と、ダイレーター３０とを有する。イントロデューサーはさらに、例えば、（ａ）イントロデューサー用シースに現されシースチューブ２１の内径寸法を指標とする第１の情報５１、およびダイレーターに現されシースチューブの外径寸法を指標とする第２の情報を有する。【選択図】図１
0003195510.tif 000002
【実用新案登録請求の範囲】
【請求項１】
長尺な中空のシースチューブと、前記シースチューブの基端側に設けられダイレーターを挿入する挿入口を備えるシースハブと、を備えるイントロデューサー用シースと、
前記シースチューブに挿通されるダイレーターチューブと、前記ダイレーターチューブの基端側に設けられるダイレーターハブと、を備えるダイレーターと、
下記（ａ）、（ｂ）、または（ｃ）のいずれかによって特定される第１と第２の情報と、を有するイントロデューサー。
（ａ）前記イントロデューサー用シースに現され前記シースチューブの内径寸法を指標とする第１の情報、および前記ダイレーターに現され前記シースチューブの外径寸法を指標とする第２の情報、
（ｂ）前記ダイレーターに現され前記シースチューブの内径寸法を指標とする第１の情報、および前記イントロデューサー用シースに現され前記シースチューブの外径寸法を指標とする第２の情報、または、
（ｃ）前記ダイレーターに現され前記シースチューブの内径寸法を指標とする第１の情報、および前記ダイレーターに現され前記シースチューブの外径寸法を指標とする第２の情報。
【請求項２】
前記ダイレーターに現される前記第１の情報または前記第２の情報は、前記ダイレーターチューブ、およびダイレーターハブの少なくとも一方に現され、
前記イントロデューサー用シースに現される前記第１の情報または前記第２の情報は、前記シースチューブ、および前記シースハブの少なくとも一方に現される、請求項１に記載のイントロデューサー。
【請求項３】
請求項１に記載の（ｂ）または（ｃ）によって特定される第１と第２の情報であって、
前記第１の情報は、前記第２の情報よりも前記ダイレーターの基端部寄りの位置に現されている、請求項１に記載のイントロデューサー。
【請求項４】
前記シースハブは、前記シースチューブの基端側に設けられたシース支持体と、前記シース支持体の基端側に設けられたハウジングと、前記ハウジングに取り付けられ前記挿入口が形成されたキャップと、イントロデューサー用シースを固定するための孔部が形成されたタブ部と、を含み、
請求項１に記載の（ａ）によって特定される第１の情報であって、前記第１の情報は、前記シースハブにおける前記シース支持体、前記ハウジング、前記キャップ、および前記タブ部の少なくとも一つに現され、または、
請求項１に記載の（ｂ）によって特定される第２の情報であって、前記第２の情報は、前記シースハブにおける前記シース支持体、前記ハウジング、前記キャップ、および前記タブ部の少なくとも一つに現されている、請求項１に記載のイントロデューサー。
【請求項５】
適用される前記シースチューブには、
（ａ）肉厚がＴ１、外径寸法がＤ１ｏである第１のシースチューブ、
（ｂ）肉厚が前記第１のシースチューブと同じＴ１、外径寸法が前記第１のシースチューブよりも１段階大きいサイズとして設定されるＤ２ｏ（Ｄ１ｏ＜Ｄ２ｏ）である第２のシースチューブ、
（ｃ）肉厚が前記第１と第２のシースチューブよりも薄いＴ２（Ｔ２＜Ｔ１）、外径寸法が前記第１のシースチューブの外径寸法Ｄ１ｏよりも大きく、かつ、前記第２のシースチューブの外径寸法Ｄ２ｏよりも小さいＤ３ｏ（Ｄ１ｏ＜Ｄ３ｏ＜Ｄ２ｏ））、内径寸法が前記第１のシースチューブの内径寸法Ｄ１ｉよりも大きく、かつ、前記第２のシースチューブの内径寸法Ｄ２ｉを超えないＤ３ｉ（Ｄ１ｉ＜Ｄ３ｉ≦Ｄ２ｉ）である第３のシースチューブ、
を含み、
前記第３のシースチューブを適用した場合に現される前記第１の情報が、前記第２のシースチューブを適用した場合に現される前記第１の情報と同じであり、
前記第３のシースチューブを適用した場合に現される前記第２の情報が、前記第１のシースチューブを適用した場合に現される前記第２の情報と同じである、請求項１〜４のいずれか１つに記載のイントロデューサー。
【請求項６】
適用される前記シースチューブには、
（ａ）肉厚がｔ１、外径寸法がｄ１ｏである第１のシースチューブ、
（ｂ）肉厚が前記第１のシースチューブと同じｔ１、外径寸法が前記第１のシースチューブよりも１段階大きいサイズとして設定されるｄ２ｏ（ｄ１ｏ＜ｄ２ｏ）である第２のシースチューブ、
（ｃ）肉厚が前記第１と第２のシースチューブよりも薄いｔ２（ｔ２＜ｔ１）、外径寸法が前記第１のシースチューブの外径寸法ｄ１ｏよりも小さいｄ３ｏ（ｄ３ｏ＜ｄ１ｏ＜ｄ２ｏ）、内径寸法が前記第１のシースチューブの内径寸法ｄ１ｉよりも大きく、かつ、前記第２のシースチューブの内径寸法ｄ２ｉを超えないｄ３ｉ（ｄ１ｉ＜ｄ３ｉ≦ｄ２ｉ）である第３のシースチューブ、を含み、
前記第３のシースチューブを適用した場合に現される前記第１の情報が、前記第２のシースチューブを適用した場合に現される前記第１の情報と同じであり、
前記第３のシースチューブを適用した場合に現される前記第２の情報が、前記第１のシースチューブを適用した場合に現される前記第２の情報と同じである、請求項１〜４のいずれか１つに記載のイントロデューサー。
【請求項７】
前記第１の情報は、色および数字の少なくとも一つから構成され、
前記第２の情報は、色および数字の少なくとも一つから構成されている、請求項１〜６のいずれか１つに記載のイントロデューサー。
【考案の詳細な説明】
【技術分野】
【０００１】
本発明は、イントロデューサーに関する。
【背景技術】
【０００２】
近年医療において、カテーテルと呼ばれる細長い中空管状の医療器具を用いて様々な形態の治療や検査が行われている。このような治療方法としては、カテーテルの長尺性を利用して直接患部に薬剤を投与する方法、加圧によって拡張するバルーンを先端に取り付けたカテーテルを用いて体腔内の狭窄部を押し広げて開く方法、先端部にカッターが取り付けられたカテーテルを用いて患部を削り取って開く方法、逆にカテーテルを用いて動脈瘤や出血箇所あるいは栄養血管に詰め物をして閉じる方法などがある。また、体腔内の狭窄部を開口した状態に維持するために、側面が網目状になっている管形状をしたステントをカテーテルを用いて体腔内に埋め込んで留置する治療方法などがある。さらに、血管内の血栓を吸引することなどがある。【０００３】
カテーテルを用いて治療・検査などを行う場合には、一般的に、イントロデューサーを使用する。イントロデューサーは、穿刺部位に導入されるシースチューブを備えるイントロデューサー用シースと、シースチューブの内腔に挿通されるダイレーターと、シースチューブの内腔に連通するように設けられる三方活栓部と、を有している（特許文献１を参照）。そして、腕または脚に形成された穿刺部位にシースチューブを導入し、シースチューブの内腔を介してカテーテル等を経皮的に血管等の病変部に挿入している。【０００４】
イントロデューサーは、一般的に、カラーコードに基づいて色分けされている。カラーコードは、イントロデューサー用シースにおけるシースチューブの内腔を挿通可能なデバイス（カテーテルなどの医療器具）の最大径を色によって示している。
【先行技術文献】
【特許文献】
【０００５】
【特許文献１】実開平６−４８６８４号公報
【考案の概要】
【考案が解決しようとする課題】
【０００６】
シースチューブの外径を小さくすることによって穿刺部位への導入を容易にしたり、シースチューブの内径を大きくすることによって大きい外径を有するデバイスを挿通可能としたりするために、シースチューブの肉厚を薄くすることが考えられる。【０００７】
肉厚を薄くしたシースチューブを備えるイントロデューサーに対して、従前と同じカラーコードを用いた場合には、肉厚を薄くしていない従前のシースチューブを備えるイントロデューサーとの違いを容易に認識することができないという問題がある。この問題は、イントロデューサー用シースとダイレーターとをセットする前、あるいはセットした後のいずれの場合にも生じ得る。【０００８】
また、肉厚を薄くしたシースチューブについて、内径と外径との関係性を認識することができないという問題がある。このため、挿通可能な医療器具の最大径は従前のままで外径を小さくしたシースチューブを備えるイントロデューサーであるのか、あるいは外径寸法は従前のままで挿通可能な医療器具の最大径を大きくしたシースチューブを備えるイントロデューサーであるのかを認識することができない。【０００９】
そこで、本発明の目的は、肉厚を薄くしたシースチューブを備えるイントロデューサーを、肉厚を薄くしていない従前のシースチューブを備えるイントロデューサーから容易に区別することができ、さらに、肉厚を薄くしたシースチューブについての内径と外径との関係性を容易に認識することができるイントロデューサーを提供することにある。
【課題を解決するための手段】
【００１０】
上記目的は、以下の手段により達成される。【００１１】
（１）長尺な中空のシースチューブと、前記シースチューブの基端側に設けられダイレーターを挿入する挿入口を備えるシースハブと、を備えるイントロデューサー用シースと、
前記シースチューブに挿通されるダイレーターチューブと、前記ダイレーターチューブの基端側に設けられるダイレーターハブと、を備えるダイレーターと、
下記（ａ）、（ｂ）、または（ｃ）のいずれかによって特定される第１と第２の情報と、を有するイントロデューサー。【００１２】
（ａ）前記イントロデューサー用シースに現され前記シースチューブの内径寸法を指標とする第１の情報、および前記ダイレーターに現され前記シースチューブの外径寸法を指標とする第２の情報、
（ｂ）前記ダイレーターに現され前記シースチューブの内径寸法を指標とする第１の情報、および前記イントロデューサー用シースに現され前記シースチューブの外径寸法を指標とする第２の情報、または、
（ｃ）前記ダイレーターに現され前記シースチューブの内径寸法を指標とする第１の情報、および前記ダイレーターに現され前記シースチューブの外径寸法を指標とする第２の情報。【００１３】
（２）前記ダイレーターに現される前記第１の情報または前記第２の情報は、前記ダイレーターチューブ、およびダイレーターハブの少なくとも一方に現され、
前記イントロデューサー用シースに現される前記第１の情報または前記第２の情報は、前記シースチューブ、および前記シースハブの少なくとも一方に現される、上記（１）に記載のイントロデューサー。【００１４】
（３）上記（１）に記載の（ｂ）または（ｃ）によって特定される第１と第２の情報であって、
前記第１の情報は、前記第２の情報よりも前記ダイレーターの基端部寄りの位置に現されている、上記（１）に記載のイントロデューサー。【００１５】
（４）前記シースハブは、前記シースチューブの基端側に設けられたシース支持体と、前記シース支持体の基端側に設けられたハウジングと、前記ハウジングに取り付けられ前記挿入口が形成されたキャップと、イントロデューサー用シースを固定するための孔部が形成されたタブ部と、を含み、
上記（１）に記載の（ａ）によって特定される第１の情報であって、前記第１の情報は、前記シースハブにおける前記シース支持体、前記ハウジング、前記キャップ、および前記タブ部の少なくとも一つに現され、または、
上記（１）に記載の（ｂ）によって特定される第２の情報であって、前記第２の情報は、前記シースハブにおける前記シース支持体、前記ハウジング、前記キャップ、および前記タブ部の少なくとも一つに現されている、上記（１）に記載のイントロデューサー。【００１６】
（５）適用される前記シースチューブには、
（ａ）肉厚がＴ１、外径寸法がＤ１ｏである第１のシースチューブ、
（ｂ）肉厚が前記第１のシースチューブと同じＴ１、外径寸法が前記第１のシースチューブよりも１段階大きいサイズとして設定されるＤ２ｏ（Ｄ１ｏ＜Ｄ２ｏ）である第２のシースチューブ、
（ｃ）肉厚が前記第１と第２のシースチューブよりも薄いＴ２（Ｔ２＜Ｔ１）、外径寸法が前記第１のシースチューブの外径寸法Ｄ１ｏよりも大きく、かつ、前記第２のシースチューブの外径寸法Ｄ２ｏよりも小さいＤ３ｏ（Ｄ１ｏ＜Ｄ３ｏ＜Ｄ２ｏ））、内径寸法が前記第１のシースチューブの内径寸法Ｄ１ｉよりも大きく、かつ、前記第２のシースチューブの内径寸法Ｄ２ｉを超えないＤ３ｉ（Ｄ１ｉ＜Ｄ３ｉ≦Ｄ２ｉ）である第３のシースチューブ、
を含み、
前記第３のシースチューブを適用した場合に現される前記第１の情報が、前記第２のシースチューブを適用した場合に現される前記第１の情報と同じであり、
前記第３のシースチューブを適用した場合に現される前記第２の情報が、前記第１のシースチューブを適用した場合に現される前記第２の情報と同じである、上記（１）〜上記（４）のいずれか１つに記載のイントロデューサー。【００１７】
（６）適用される前記シースチューブには、
（ａ）肉厚がｔ１、外径寸法がｄ１ｏである第１のシースチューブ、
（ｂ）肉厚が前記第１のシースチューブと同じｔ１、外径寸法が前記第１のシースチューブよりも１段階大きいサイズとして設定されるｄ２ｏ（ｄ１ｏ＜ｄ２ｏ）である第２のシースチューブ、
（ｃ）肉厚が前記第１と第２のシースチューブよりも薄いｔ２（ｔ２＜ｔ１）、外径寸法が前記第１のシースチューブの外径寸法ｄ１ｏよりも小さいｄ３ｏ（ｄ３ｏ＜ｄ１ｏ＜ｄ２ｏ）、内径寸法が前記第１のシースチューブの内径寸法ｄ１ｉよりも大きく、かつ、前記第２のシースチューブの内径寸法ｄ２ｉを超えないｄ３ｉ（ｄ１ｉ＜ｄ３ｉ≦ｄ２ｉ）である第３のシースチューブ、を含み、
前記第３のシースチューブを適用した場合に現される前記第１の情報が、前記第２のシースチューブを適用した場合に現される前記第１の情報と同じであり、
前記第３のシースチューブを適用した場合に現される前記第２の情報が、前記第１のシースチューブを適用した場合に現される前記第２の情報と同じである、上記（１）〜上記（４）のいずれか１つに記載のイントロデューサー。【００１８】
（７）前記第１の情報は、色および数字の少なくとも一つから構成され、
前記第２の情報は、色および数字の少なくとも一つから構成されている、上記（１）〜上記（６）のいずれか１つに記載のイントロデューサー。
【考案の効果】
【００１９】
上記（１）に記載の発明によれば、イントロデューサーが、イントロデューサー用シースやダイレーターに、シースチューブの内径寸法を指標とする第１の情報と、シースチューブの外径寸法を指標とする第２の情報とを備えることから、肉厚を薄くしたシースチューブを備えるイントロデューサーと、肉厚を薄くしていない従前のシースチューブを備えるイントロデューサーとの違いを容易に認識することができる。例えば、第１の情報が、シースチューブの内径寸法を指標としたシースチューブのＦｒサイズであり、第２の情報が、シースチューブの外径寸法を指標としたシースチューブのＦｒサイズである場合においては、肉厚を薄くしていない従前のシースチューブのときには、第１の情報と第２の情報とが同じになる。一方、肉厚を薄くしたシースチューブのときには、内径寸法を同じにしたまま外径寸法を例えば１Ｆｒサイズのサイズダウンを図ることができることから、第１の情報と第２の情報とが異なってくる。換言すれば、第１の情報と第２の情報とが同じであるときには、使用者は、肉厚を薄くしていない従前のシースチューブを備えるイントロデューサーであることを容易に識別できる。一方、第１の情報と第２の情報とが異なるときには、使用者は、肉厚を薄くしたシースチューブを備えるイントロデューサーであることを容易に識別できる。【００２０】
さらに、イントロデューサーがシースチューブの内径寸法を指標とする第１の情報とシースチューブの外径寸法を指標とする第２の情報とを備えることから、肉厚を薄くしたシースチューブについて、内径と外径との関係が明瞭なものとなる。【００２１】
このように、使用者は、イントロデューサーとして準備中や使用中において、肉厚を薄くしたシースチューブであるか否か、肉厚を薄くしたシースチューブについての内径と外径との関係性を認識できるようになる。これによって、次に挿入するデバイスの準備作業を円滑かつ迅速に進めることができ、デバイスサイズの取り違えを防止することができる。【００２２】
上記（２）に記載の発明によれば、第１の情報および第２の情報をイントロデューサーに現す部位を選択することができ、イントロデューサー用シースが備える個々の部材に第１の情報または第２の情報を現したり、ダイレーターが備える個々の部材に第１の情報または第２の情報を現したりすることができる。【００２３】
（３）使用者がダイレーターチューブをシースチューブに挿通するときには、使用者はダイレーターの基端部寄りのダイレーターハブを把持して押し込んでいる。したがって、上記（３）に記載の発明によれば、ダイレーターの基端部寄りの位置においてシースチューブの内径を現すことになるため、挿入口に挿入し得るデバイスの最大サイズを認識しやすくなる。【００２４】
上記（４）に記載の発明によれば、シースハブが備える個々の部材に第１の情報または第２の情報を現すことができる。【００２５】
上記（５）に記載の発明によれば、第３のシースチューブは、第１と第２のシースチューブに比べて肉厚を薄くしたシースチューブであって、外径寸法が第１のシースチューブと同等で、かつ、内径寸法が第２のシースチューブと同等であり、外径サイズをサイズダウンさせながら、１サイズ上のデバイスを挿通可能である。このように肉厚を薄くしたシースチューブを備えるイントロデューサーに関して、上記（１）〜上記（４）のいずれかに記載の効果を奏する。【００２６】
上記（６）に記載の発明によれば、第３のシースチューブは、第１と第２のシースチューブに比べて肉厚を薄くしたシースチューブであって、外径寸法が第１と第２のシースチューブよりも小さいので、外径サイズをサイズダウンさせて挿入することができる。また、内径寸法が第１と第２のシースチューブの内径寸法の間の大きさである場合は、１サイズ上のデバイスを挿通可能である。このようなシースチューブを備えるイントロデューサーに関して、上記（１）〜上記（４）のいずれかに記載の効果を奏する。【００２７】
上記（７）に記載の発明によれば、第１と第２の情報を、色や数字を用いて簡単に現すことができる。
【図面の簡単な説明】
【００２８】
【図１】イントロデューサーの概略構成を、イントロデューサー用シースとダイレーターとをセットした状態で示す平面図である。
【図２】イントロデューサーの概略構成を、イントロデューサー用シースとダイレーターとを分解した状態で示す平面図である。
【図３】イントロデューサーの要部を示す断面図である。
【図４】穿刺部位に導入されたイントロデューサー用シースを介してカテーテルを挿入している状態を示す図である。
【図５】図５（Ａ）（Ｄ）は、肉厚（ｔ＝Ｔ１）が比較的厚いシースチューブを示す断面図、図５（Ｂ）（Ｃ）は、肉厚（ｔ＝Ｔ２、Ｔ３）が比較的薄いシースチューブを示す断面図である。
【図６】図６（Ａ）（Ｂ）（Ｃ）は、イントロデューサーに適用される第１〜第３のシースチューブを説明する断面図であり、第３のシースチューブは、第１と第２のシースチューブに比べて肉厚を薄くしたシースチューブであって、外径寸法が第１のシースチューブと同等で、かつ、内径寸法が第２のシースチューブと同等であり、外径サイズをサイズダウンさせながら、１サイズ上のデバイスを挿通可能としたチューブを示している。
【図７】図７（Ａ）（Ｂ）（Ｃ）は、イントロデューサーに適用される第１〜第３のシースチューブを説明する断面図であり、第３のシースチューブは、第１と第２のシースチューブに比べて肉厚を薄くしたシースチューブであって、外径寸法が第１と第２のシースチューブよりも小さく、外径サイズをサイズダウンさせて挿入することを可能としたチューブを示している。
【考案を実施するための形態】
【００２９】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００３０】
図１は、イントロデューサー１０の概略構成を、イントロデューサー用シース２０とダイレーター３０とをセットした状態で示す平面図、図２は、イントロデューサー１０の概略構成を、イントロデューサー用シース２０とダイレーター３０とを分解した状態で示す平面図、図３は、イントロデューサー１０の要部を示す断面図である。図４は、穿刺部位に導入されたイントロデューサー用シース２０を介してカテーテル７０を挿入している状態を示す図である。
【００３１】
イントロデューサー１０は、体腔内へのアクセスルートを確保するためのデバイスである。なお、以下の説明において、デバイスの手元操作部側を「基端側」、体腔内へ挿通される側を「先端側」と称す。
【００３２】
図１〜図３を参照して、イントロデューサー１０は、概説すると、イントロデューサー用シース２０と、ダイレーター３０と、三方活栓部４０とを有している。イントロデューサー用シース２０は、長尺な中空のシースチューブ２１と、シースチューブ２１の基端側に設けられダイレーター３０を挿入する挿入口２５ａを備えるシースハブ２２とを有する。ダイレーター３０は、シースチューブ２１に挿通されるダイレーターチューブ３１と、ダイレーターチューブ３１の基端側に設けられシースハブ２２に接続自在なダイレーターハブ３２とを有する。三方活栓部４０は、シースハブ２２に一端が接続される接続チューブ４１と、接続チューブ４１の他端に接続される三方活栓本体４２とを有する。図４を参照して、穿刺部位にイントロデューサー用シース２０を導入した後、ダイレーター３０を抜き去り、イントロデューサー用シース２０の内腔を介してカテーテル７０等のデバイスを経皮的に血管等の病変部に挿入する。なお、腕からイントロデューサー用シース２０を導入するＴＲＩ（Ｔｒａｎｓ  Ｒａｄｉａｌ  ｉｎｔｅｒｖｅｎｔｉｏｎ）は、足から導入するＴＦＩ（Ｔｒａｎｓ  Ｆｅｍｏｒａｌ  ｉｎｔｅｒｖｅｎｔｉｏｎ）に比べて、止血が容易である、安静時間が短い、出血合併症が少ない等の患者および病院側双方への利点がある。以下、イントロデューサー１０について詳述する。
【００３３】
イントロデューサー用シース２０は、体腔内へ留置されて、その内部に、例えばカテーテル７０、ガイドワイヤー、塞栓物等のデバイスを挿通して、体腔内へ導入するためのものである。
【００３４】
シースチューブ２１は、経皮的に体腔内へ導入される。シースチューブ２１は、細長い管状に形成され、その基端側がシースハブ２２の先端側に接続されている。シースチューブ２１は、外径が先細りした先端部２１ａと外径が一定の本体部２１ｂからなる。
【００３５】
シースチューブ２１の構成材料としては、特に限定されないが、例えば、ポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミド、芳香族ポリエーテルケトンなどの高分子材料またはこれらの混合物などを用いることができる。エチレンテトラフルオロエチレン共重合体（ＥＴＦＥ）を好適に用いることができる。
【００３６】
シースハブ２２は、図３に示すように、シースチューブ２１の基端側に設けられたシース支持体２３と、シース支持体２３の基端側に設けられたハウジング２４と、ハウジング２４に取り付けられ挿入口２５ａが形成されたキャップ２５と、イントロデューサー用シース２０を固定するための孔部２６ａが形成されたタブ部２６とを有する。
【００３７】
シース支持体２３は、先端部分がシースチューブ２１の折れ曲がりを防止するために曲面状に縮径している。シース支持体２３の材質は、シースチューブ２１の折れ曲がりを防止するために柔軟な樹脂が好ましく、ＳＥＢＳ等の熱可塑性エラストマーが使用可能である。
【００３８】
ハウジング２４は、その先端側がシース支持体２３の基端側に接続され、基端側がシース支持体２３を越えて伸びている。ハウジング２４の側方には、シースチューブ２１の内腔と連通するサイドポート２７が形成されている。
【００３９】
ハウジング２４の構成材料としては、特に限定されないが、硬質樹脂のような硬質材料が好適である。硬質樹脂の具体例としては、例えば、ポリエチレン、ポリプロピレン等のポリオレフィン、ポリアミド、ポリカーボネート、ポリスチレン等が挙げられる。
【００４０】
ハウジング２４の基端側には、止血弁２８が取り付けられている。止血弁２８は、略楕円形の膜状（円盤状）を有している。止血弁２８の構成材料としては、特に限定されないが、例えば、弾性部材であるシリコーンゴム、ラテックスゴム、ブチルゴム、イソプレンゴム等が挙げられる。
【００４１】
キャップ２５は、止血弁２８の外周部分をハウジング２４との間に挟み込んで、止血弁２８を固定する。キャップ２５の構成材料としては、特に限定されないが、ハウジング２４の構成材料と同種のものを適用できる。
【００４２】
タブ部２６は、図示する実施形態においては、シース支持体２３の基端側に一体的に設けられている。タブ部２６に形成した孔部２６ａ、およびシース支持体２３に形成した固定用溝２３ａを適宜使用して、イントロデューサー用シース２０を穿刺部位に固定する。
【００４３】
なお、タブ部２６は、シース支持体２３と別体でもよい。さらに、固定作業のときにタブ部２６の位置を調整し易くするために、タブ部２６をシースチューブ２１の軸を中心に回転自在に設けてもよい。
【００４４】
ダイレーター３０は、イントロデューサー用シース２０を血管内に挿入するときに、シースチューブ２１の折れを防いだり、皮膚の穿孔を拡径したりするために用いられる。
【００４５】
ダイレーターチューブ３１は、シースチューブ２１内に挿通される。図１に示すように、ダイレーターチューブ３１の先端部が、シースチューブ２１の先端から突出した状態となる。
【００４６】
ダイレーターチューブ３１の構成材料としては、例えば、ポリオレフィン（例えば、ポリエチレン、ポリプロピレン、ポリブテン、エチレン−プロピレン共重合体、エチレン−酢酸ビニル共重合体、アイオノマー、またはこれら二種以上の混合物など）、ポリオレフィンエラストマー、ポリオレフィンの架橋体、ポリ塩化ビニル、ポリアミド、ポリアミドエラストマー、ポリエステル、ポリエステルエラストマー、ポリウレタン、ポリウレタンエラストマー、フッ素樹脂、ポリカーボネート、ポリスチレン、ポリアセタール、ポリイミド、ポリエーテルイミド、芳香族ポリエーテルケトンなどの高分子料またはこれらの混合物などを用いることができる。
【００４７】
ダイレーターハブ３２は、先端側に向けて伸びる係止爪３３を備えている。係止爪３３は、内側に突起を備え、シースハブ２２の基端側に設けた環状溝２９に嵌り合う。ダイレーターハブ３２の係止爪３３とシースハブ２２の環状溝２９とによって、ダイレーターハブ３２は、シースハブ２２に対して着脱自在に保持される。
【００４８】
ダイレーターハブ３２の構成材料としては、特に限定されないが、硬質樹脂のような硬質材料が好適である。硬質樹脂の具体例としては、例えば、ポリエチレン、ポリプロピレン等のポリオレフィン、ポリアミド、ポリカーボネート、ポリスチレン等が挙げられる。
【００４９】
三方活栓部４０の接続チューブ４１の一端は、シースハブ２２に設けたサイドポート２７に液密に接続される。接続チューブ４１は、例えばポリブタジエン製の可撓性を有するチューブから構成されている。接続チューブ４１の他端には、三方活栓本体４２が装着されている。この三方活栓本体４２のポートから接続チューブ４１を介してイントロデューサー用シース２０内に、例えば生理食塩水のような液体を注入する。
【００５０】
図５（Ａ）（Ｄ）は、肉厚（ｔ＝Ｔ１）が比較的厚いシースチューブ１００、１０３を示す断面図、図５（Ｂ）（Ｃ）は、肉厚（ｔ＝Ｔ２、Ｔ３）が比較的薄いシースチューブ１０１、１０２を示す断面図である。
【００５１】
図５（Ａ）（Ｂ）に示すように、シースチューブ１０１の肉厚（ｔ＝Ｔ２、Ｔ１＞Ｔ２）を薄くすることによって、内径寸法φ１を同じにしたまま、外径寸法φ３を例えば１フレンチサイズ（Ｆｒサイズ）のサイズダウンを図ることができる（φ２＞φ３）。ここに、シースチューブのフレンチサイズ（Ｆｒサイズ）は、シースチューブの内腔を挿通可能なデバイス（カテーテル７０などの医療器具）の最大径を示している。また、図５（Ａ）（Ｃ）に示すように、シースチューブ１０２の肉厚（ｔ＝Ｔ３、Ｔ１＞Ｔ３）を薄くすることによって、外径寸法φ２を同じにしたまま、内径寸法φ４が大きくなり（φ４＞φ１）、より大きい外径を有するデバイスを挿通することが可能となる。一方、図５（Ａ）（Ｄ）に示すように、シースチューブ１０３の肉厚（ｔ＝Ｔ１）を維持したまま外径寸法φ３を１Ｆｒサイズダウンしても（φ２＞φ３）、内径寸法φ５もサイズダウン（φ１＞φ５）するので、結局のところ小さい外径寸法を有するデバイスしか挿入できなくなる。
【００５２】
シースチューブ２１の肉厚を薄くすることによって、応用範囲がつぎのように広がる。肉厚を薄くしていない従前のシースチューブにあっては、７Ｆｒサイズのデバイスを挿通するシースチューブ外径（７Ｆｒサイズ）が、橈骨動脈の血管径（２．９±０．６ｍｍ程度）よりも大きいため、７Ｆｒサイズのカテーテル７０などのデバイスを用いてＴＲＩ手技を行うことができない。一方、肉厚を薄くしたシースチューブ２１にあっては、内径寸法を同じにしたまま、外径寸法を１Ｆｒサイズダウンさせることができる（６Ｆｒサイズ）。これによって、７Ｆｒサイズのデバイスを用いてＴＲＩ手技を行うことが可能となる。肉厚を薄くしたシースチューブ２１にあっては、外径が６Ｆｒサイズのシースチューブ２１の中に、外径が７Ｆｒサイズのデバイスを挿通可能になる。本明細書においては、このようなデバイスサイズ−シースサイズの組み合わせが可能な薄肉化したシースチューブ２１のサイズを「７ｉｎ６」と表記する。
【００５３】
デバイスサイズ−シースサイズの組み合わせは「７ｉｎ６」に限られるものではなく、すべてのサイズに適用することが可能である。例えば、「１１ｉｎ１０」、「１０ｉｎ９」、「９ｉｎ８」、「８ｉｎ７」、「７ｉｎ６」、「６ｉｎ５」、「５ｉｎ４」、「４ｉｎ３」、「３ｉｎ２」のように、すべての外径サイズを１Ｆｒサイズダウンすることができる。
【００５４】
さらには、シース外径寸法を１Ｆｒサイズダウンさせることにより、人体の挿入痕が小さくなり、止血時間が短くなる。これによって病院滞在時間が短くなるので、患者の肉体的負担とともに病院の経済的負担も軽くなる。
【００５５】
上述したように、シースチューブ２１の肉厚を薄くすることによって、内径寸法を同じにしたまま、外径寸法を１Ｆｒサイズダウンさせることができる。しかしながら、肉厚を薄くしたシースチューブ２１を備えるイントロデューサー１０に対して、従前と同じカラーコードを用いた場合には、肉厚を薄くしていない従前のシースチューブを備えるイントロデューサー１０との違いを容易に認識することができない。また、肉厚を薄くしたシースチューブ２１について、内径と外径との関係性を認識することができない。
【００５６】
シースチューブ２１の肉厚を薄くしたときの上記の課題を解決した本実施形態のイントロデューサー１０について詳述する。
【００５７】
本実施形態のイントロデューサー１０は、上述したように、イントロデューサー用シース２０と、ダイレーター３０とを有する。イントロデューサー用シース２０は、長尺な中空のシースチューブ２１と、シースチューブ２１の基端側に設けられダイレーター３０を挿入する挿入口２５ａを備えるシースハブ２２と、を有する。ダイレーター３０は、シースチューブ２１に挿通されるダイレーターチューブ３１と、ダイレーターチューブ３１の基端側に設けられるダイレーターハブ３２と、を有する。イントロデューサー１０はさらに、下記（ａ）、（ｂ）、または（ｃ）のいずれかによって特定される第１と第２の情報５１、５２を有する。
【００５８】
（ａ）イントロデューサー用シース２０に現されシースチューブ２１の内径寸法を指標とする第１の情報５１、およびダイレーター３０に現されシースチューブ２１の外径寸法を指標とする第２の情報、
（ｂ）ダイレーター３０に現されシースチューブ２１の内径寸法を指標とする第１の情報５１、およびイントロデューサー用シース２０に現されシースチューブ２１の外径寸法を指標とする第２の情報５２、または、
（ｃ）ダイレーター３０に現されシースチューブ２１の内径寸法を指標とする第１の情報５１、およびダイレーター３０に現されシースチューブ２１の外径寸法を指標とする第２の情報５２である。本実施形態では、第１の情報５１は色から構成され、第２の情報５２も色から構成されている。
【００５９】
第１の情報５１および第２の情報５２をイントロデューサー１０に現す部位については適宜改変することができる。本実施形態では、イントロデューサー用シース２０が備える部材（シースチューブ２１、およびシースハブ２２）に第１の情報５１または第２の情報５２を現し、ダイレーター３０が備える部材（ダイレーターチューブ３１、およびダイレーターハブ３２）に第１の情報５１または第２の情報５２を現すこととしている。本実施形態では、イントロデューサー用シース２０およびダイレーター３０に第１の情報５１および第２の情報５２を現す組み合わせは、下記の表１のとおりとなる。
【００６０】
【表１】
0003195510.tif 000003
【００６１】
前述したように、シースチューブ２１のＦｒサイズは、シースチューブ２１の内腔を挿通可能なデバイスの最大径を示している。例えば、第１の情報５１が、シースチューブ２１の内径寸法を指標としたシースチューブ２１のＦｒサイズであり、第２の情報５２が、シースチューブ２１の外径寸法を指標としたシースチューブ２１のＦｒサイズである場合を例に挙げる。この場合においては、肉厚を薄くしていない従前のシースチューブのときには、第１の情報５１と第２の情報５２とが同じになる。一方、肉厚を薄くしたシースチューブ２１のときには、内径寸法を同じにしたまま外径寸法を例えば１Ｆｒサイズのサイズダウンを図ることができることから、第１の情報５１と第２の情報５２とが異なってくる。換言すれば、第１の情報５１と第２の情報５２とが同じであるときには、使用者は、肉厚を薄くしていない従前のシースチューブを備えるイントロデューサー１０であることを容易に識別できる。一方、第１の情報５１と第２の情報５２とが異なるときには、使用者は、肉厚を薄くしたシースチューブ２１を備えるイントロデューサー１０であることを容易に識別できる。
【００６２】
このように、イントロデューサー１０がシースチューブ２１の内径寸法を指標とする第１の情報５１とシースチューブ２１の外径寸法を指標とする第２の情報５２とを備えることから、肉厚を薄くしたシースチューブ２１を備えるイントロデューサー１０と、肉厚を薄くしていない従前のシースチューブを備えるイントロデューサー１０との違いを容易に認識することができる。
【００６３】
さらに、イントロデューサー１０がシースチューブ２１の内径寸法を指標とする第１の情報５１とシースチューブ２１の外径寸法を指標とする第２の情報５２とを備えることから、肉厚を薄くしたシースチューブ２１について、内径と外径との関係が明瞭なものとなる。
【００６４】
このように、医者や看護師などの使用者は、イントロデューサー１０として準備中や使用中において、肉厚を薄くしたシースチューブ２１であるか否か、肉厚を薄くしたシースチューブ２１についての内径と外径との関係性を認識できるようになる。これによって、次に挿入するデバイスの準備作業を円滑かつ迅速に進めることができ、デバイスサイズの取り違えを防止することができる。
【００６５】
第１の情報５１および第２の情報５２をイントロデューサー１０に現す部位を選択することができ、イントロデューサー用シース２０が備える個々の部材（シースチューブ２１、およびシースハブ２２）に第１の情報５１または第２の情報５２を現したり、ダイレーター３０が備える個々の部材（ダイレーターチューブ３１、およびダイレーターハブ３２）に第１の情報５１または第２の情報５２を現したりすることができる。
【００６６】
ここで、上述した（ｂ）または（ｃ）によって特定される第１と第２の情報５１、５２であって、第１の情報５１は、第２の情報５２よりもダイレーター３０の基端部寄りの位置に現されていることが好ましい。使用者がダイレーターチューブ３１をシースチューブ２１に挿通するときには、使用者はダイレーター３０の基端部寄りのダイレーターハブ３２を把持して押し込んでいる。したがって、ダイレーター３０の基端部寄りの位置においてシースチューブ２１の内径を現すことになるため、挿入口２５ａに挿入し得るデバイスの最大サイズを認識しやすくなるからである。
【００６７】
このような観点から、表１における第２の組合せに示されるように、第１の情報５１がダイレーター３０に現され、第２の情報５２がイントロデューサー用シース２０に現されているのが好ましい。
【００６８】
シースハブ２２の全体に第１の情報５１または第２の情報５２を現す他に、シースハブ２２が備える個々の部材に第１の情報５１または第２の情報５２を現す形態を採用することができる。この形態を以下に説明する。
【００６９】
本実施形態のシースハブ２２は、シースチューブ２１の基端側に設けられたシース支持体２３と、シース支持体２３の基端側に設けられたハウジング２４と、ハウジング２４に取り付けられ挿入口２５ａが形成されたキャップ２５と、イントロデューサー用シース２０を固定するための孔部２６ａが形成されたタブ部２６と、を含んでいる。そして、上記の（ａ）によって特定される第１の情報５１の場合には、この第１の情報５１は、シースハブ２２におけるシース支持体２３、ハウジング２４、キャップ２５、およびタブ部２６の少なくとも一つに現すことができる。また、上記の（ｂ）によって特定される第２の情報５２の場合には、この第２の情報５２は、シースハブ２２におけるシース支持体２３、ハウジング２４、キャップ２５、およびタブ部２６の少なくとも一つに現すことができる。上記の（ｂ）によって特定される第１の情報５１および第２の情報５２を現す場合の組み合わせは、下記の表２のとおりとなる。
【００７０】
【表２】
0003195510.tif 000004
【００７１】
上述したように、シースハブ２２の挿入口２５ａに挿入し得るデバイスの最大サイズを認識しやすくするためには、第１の情報５１が、第２の情報５２よりもダイレーター３０の基端部寄りの位置に現されていることが好ましい。このような観点から、表２における第５、６、７、８の組合せに示されるように、第１の情報５１がダイレーターハブ３２に現され、第２の情報５２がシースハブ２２の構成部材に現されるのがよい。この場合において、シース支持体２３およびタブ部２６の２つの部材を一体的に形成した一体化部品に第２の情報５２を現してもよい。また、シース支持体２３、ハウジング２４、およびタブ部２６の３つの部材を一体的に形成した一体化部品に第２の情報５２を現すようにしてもよい。また、第１の情報５１に関しても、ダイレーターチューブ３１およびダイレーターハブ３２の２つの部材を一体的に形成した一体化部品に現すようにしてもよい。
【００７２】
図６（Ａ）（Ｂ）（Ｃ）を参照して、イントロデューサー１０に適用されるシースチューブ２１を説明する。適用されるシースチューブ２１には、以下に説明する第１〜第３の３種類のシースチューブ６１、６２、６３の組み合わせが含まれる。
【００７３】
（ａ）第１のシースチューブ６１は、図６（Ａ）に示すように、肉厚がＴ１、外径寸法がＤ１ｏ、内径寸法がＤ１ｉである。例えば、肉厚を薄くしていない従前のシースチューブであって、５Ｆｒサイズのシースチューブを例に挙げる。
【００７４】
（ｂ）第２のシースチューブ６２は、図６（Ｂ）に示すように、肉厚が第１のシースチューブ６１と同じＴ１、外径寸法が第１のシースチューブ６１よりも１段階大きいサイズとして設定されるＤ２ｏ（Ｄ１ｏ＜Ｄ２ｏ）、内径寸法がＤ２ｉである。例えば、肉厚を薄くしていない従前のシースチューブであって、６Ｆｒサイズのシースチューブである。
【００７５】
（ｃ）第３のシースチューブ６３は、図６（Ｃ）に示すように、肉厚が第１と第２のシースチューブ６１、６２よりも薄いＴ２（Ｔ２＜Ｔ１）、外径寸法が第１のシースチューブ６１の外径寸法Ｄ１ｏよりも大きく、かつ、第２のシースチューブ６２の外径寸法Ｄ２ｏよりも小さいＤ３ｏ（Ｄ１ｏ＜Ｄ３ｏ＜Ｄ２ｏ）、内径寸法が第１のシースチューブ６１の内径寸法Ｄ１ｉよりも大きく、かつ、第２のシースチューブ６２の内径寸法Ｄ２ｉを超えないＤ３ｉ（Ｄ１ｉ＜Ｄ３ｉ≦Ｄ２ｉ）である。第３のシースチューブ６３は、肉厚を薄くしたシースチューブ２１であり、外径寸法が従前の５Ｆｒサイズのシースチューブ２１と同等で、かつ、内径寸法が従前の６Ｆｒサイズのシースチューブ２１と同等であり、６Ｆｒサイズのデバイスを挿通可能である。本明細書における表記の仕方によれば、６ｉｎ５Ｆｒサイズのシースチューブ２１である。そして、第３のシースチューブ６３（６ｉｎ５Ｆｒ）を適用した場合に現される第１の情報５１（つまり、内径寸法の情報）を、第２のシースチューブ６２（６Ｆｒ）を適用した場合に現される第１の情報５１と同じとし、第３のシースチューブ６３（６ｉｎ５Ｆｒ）を適用した場合に現される第２の情報５２（つまり、外径寸法の情報）を、第１のシースチューブ６１（５Ｆｒ）を適用した場合に現される第２の情報５２と同じとしてある。
【００７６】
次に、図７（Ａ）（Ｂ）（Ｃ）を参照して、イントロデューサー１０に適用されるシースチューブ２１の別の態様を説明する。適用されるシースチューブ２１には、以下に説明する第１〜第３の３種類のシースチューブ７１、７２、７３の組み合わせが含まれる。
【００７７】
（ａ）第１のシースチューブ７１は、図７（Ａ）に示すように、肉厚がｔ１、外径寸法がｄ１ｏ、内径寸法がｄ１ｉである。例えば、肉厚を薄くしていない従前のシースチューブであって、５Ｆｒサイズのシースチューブを例に挙げる。
【００７８】
（ｂ）第２のシースチューブ７２は、図７（Ｂ）に示すように、肉厚が第１のシースチューブ７１と同じｔ１、外径寸法が第１のシースチューブ７１よりも１段階大きいサイズとして設定されるｄ２ｏ（ｄ１ｏ＜ｄ２ｏ）、内径寸法がｄ２ｉである。例えば、肉厚を薄くしていない従前のシースチューブであって、６Ｆｒサイズのシースチューブである。
【００７９】
（ｃ）第３のシースチューブ７３は、図７（Ｃ）に示すように、肉厚が第１と第２のシースチューブ７１、７２よりも薄いｔ２（ｔ２＜ｔ１）、外径寸法が第１のシースチューブ７１の外径寸法ｄ１ｏよりも小さく、必然的に第２シースチューブ７２の外径寸法ｄ２ｏよりも小さいｄ３ｏ（ｄ３ｏ＜ｄ１ｏ＜ｄ２ｏ）、内径寸法が第１のシースチューブ７１の内径寸法ｄ１ｉよりも大きく、かつ、第２のシースチューブ７２の内径寸法ｄ２ｉを超えないｄ３ｉ（ｄ１ｉ＜ｄ３ｉ≦ｄ２ｉ）である。第３のシースチューブ７３は、肉厚を薄くしたシースチューブ２１であり、外径寸法が従前の５Ｆｒサイズのシースチューブ２１よりも小さく、かつ、内径寸法が従前の６Ｆｒサイズのシースチューブ２１と同等かそれ以下であり、６Ｆｒサイズのデバイスを挿通可能である。本明細書における表記の仕方によれば、６ｉｎ５Ｆｒサイズのシースチューブ２１である。そして、第３のシースチューブ７３（６ｉｎ５Ｆｒ）を適用した場合に現される第１の情報５１（つまり、内径寸法の情報）を、第２のシースチューブ７２（６Ｆｒ）を適用した場合に現される第１の情報５１と同じとし、第３のシースチューブ７３（６ｉｎ５Ｆｒ）を適用した場合に現される第２の情報５２（つまり、外径寸法の情報）を、第１のシースチューブ７１（５Ｆｒ）を適用した場合に現される第２の情報５２と同じとしてある。
【００８０】
カラーコードを例示して具体例を示すと、下記の表３および表４のとおりとなる。第１の情報５１をダイレーターハブ３２に現し、第２の情報５２をシース支持体２３に現した例を表３に示し、第１の情報５１をダイレーターハブ３２に現し、第２の情報５２をハウジング２４に現した例を表４に示す。なお、例示したカラーコードと異なる、該カラーコードのフレンチサイズを現さない色にて現しても良い。
【００８１】
【表３】
0003195510.tif 000005
【００８２】
表３に示される組合せにおいて、ハウジング２４に、シース支持体２３と同じカラーコードを現してもよい。また、同じ色である必要はなく、シースチューブ２１のＦｒサイズを示さない色を付してもよい。
【００８３】
【表４】
0003195510.tif 000006
【００８４】
表４に示される組合せにおいて、シース支持体２３に、ハウジング２４と同じカラーコードを現してもよい。また、同じ色である必要はなく、シースチューブ２１のＦｒサイズを示さない色を付してもよい。
【００８５】
表３および表４に例示されるように、第１の情報５１が、シースチューブ２１の内径寸法を指標としたシースチューブ２１のＦｒサイズであり、第２の情報５２が、シースチューブ２１の外径寸法を指標としたシースチューブ２１のＦｒサイズである場合において、肉厚を薄くしていない従前のシースチューブのときには、第１の情報５１と第２の情報５２とが同じになる。一方、肉厚を薄くしたシースチューブ２１のときには、内径寸法を同じにしたまま外径寸法を例えば１Ｆｒサイズのサイズダウンを図ることができることから、第１の情報５１と第２の情報５２とが異なってくる。換言すれば、第１の情報５１と第２の情報５２とが同じであるとき（本実施形態にあってはシース支持体２３およびダイレーターハブ３２に同じ色が付されているとき）には、使用者は、肉厚を薄くしていない従前のシースチューブを備えるイントロデューサー１０であることを容易に識別できる。一方、第１の情報５１と第２の情報５２とが異なるとき（本実施形態にあってはシース支持体２３およびダイレーターハブ３２に異なる色が付されているとき）には、使用者は、肉厚を薄くしたシースチューブ２１を備えるイントロデューサー１０であることを容易に識別できる。
【００８６】
このように、イントロデューサー１０がシースチューブ２１の内径寸法を指標とする第１の情報５１とシースチューブ２１の外径寸法を指標とする第２の情報５２とを備えることから、肉厚を薄くしたシースチューブ２１を備えるイントロデューサー１０と、肉厚を薄くしていない従前のシースチューブを備えるイントロデューサー１０との違いを容易に認識することができる。
【００８７】
さらに、イントロデューサー１０がシースチューブ２１の内径寸法を指標とする第１の情報５１とシースチューブ２１の外径寸法を指標とする第２の情報５２とを備えることから、肉厚を薄くしたシースチューブ２１について、内径と外径との関係が明瞭なものとなる。
【００８８】
このように、医者や看護師などの使用者は、イントロデューサー１０として準備中や使用中において、肉厚を薄くしたシースチューブ２１であるか否か、肉厚を薄くしたシースチューブ２１についての内径と外径との関係性を認識できるようになる。これによって、次に挿入するデバイスの準備作業を円滑かつ迅速に進めることができ、デバイスサイズの取り違えを防止することができる。
【００８９】
図６（Ｃ）に示した第３のシースチューブ６３は、第１と第２のシースチューブ６１、６２に比べて肉厚を薄くしたシースチューブ２１であって、外径寸法Ｄ３ｏが第１のシースチューブ６１と同等で、かつ、内径寸法Ｄ３ｉが第２のシースチューブ６２と同等であり、外径サイズをサイズダウンさせながら、１サイズ上のデバイスを挿通可能である。このようなシースチューブ２１を備えるイントロデューサー１０に関して、上述した効果を奏する。
【００９０】
また、図７（Ｃ）に示した第３のシースチューブ７３は、第１と第２のシースチューブ７１、７２に比べて肉厚を薄くしたシースチューブ２１であって、外径寸法ｄ３ｏが第１と第２のシースチューブ７１、７２よりも小さいので、外径サイズをサイズダウンさせて挿入することができる。また、内径寸法ｄ３ｉが第１と第２のシースチューブ７１、７２の内径寸法ｄ１ｉ、ｄ２ｉの間の大きさである場合は、１サイズ上のデバイスを挿通可能である。このようなシースチューブ２１を備えるイントロデューサー１０に関して、上述した効果を奏する。
【００９１】
（変形例）
第１の情報５１を色から構成し、第２の情報５２も色から構成した実施形態を説明したが、本発明はこの場合に限定されるものではない。第１の情報５１は、色および数字の少なくとも一つから構成され、第２の情報５２は、色および数字の少なくとも一つから構成されていればよい。組み合わせは、下記の表５のとおりとなる。
【００９２】
【表５】
0003195510.tif 000007
【００９３】
このように、第１と第２の情報５１、５２を、色や数字を用いて簡単に現すことができる。
【００９４】
なお、第１と第２の情報５１、５２は、色や数字によって構成する場合に限られない。色や数字のほかに、文字でもよい。また、第１と第２の情報５１、５２を形状によって構成することもできる。例えば、複数種類の凸部形状をシースハブ２２などに必要個数設けることによって、第１と第２の情報５１、５２を現すことができる。断面が四角形状の凸部形状は「５」を示し、断面が半円形状の凸部形状は「１」を示すと、予め取り決めておく。そして、シースハブ２２などに、断面が四角形状の凸部形状を１個設け、断面が半円形状の凸部形状を１個設けた場合には、第１の情報５１または第２の情報５２に「６」を、与えるようにしてもよい。形状によって情報を現す場合には、視覚に加えて、触覚によっても、その情報を認識することができる。
【００９５】
本出願は、２０１２年３月２７日に出願された日本特許出願番号２０１２−７２４０８号に基づいており、その開示内容は、参照され、全体として、組み入れられている。
【符号の説明】
【００９６】
１０    イントロデューサー、
２０    イントロデューサー用シース、
２１    シースチューブ、
２２    シースハブ、
２３    シース支持体、
２４    ハウジング、
２５    キャップ、
２５ａ  挿入口、
２６    タブ部、
２６ａ  孔部、
３０    ダイレーター、
３１    ダイレーターチューブ、
３２    ダイレーターハブ、
４０    三方活栓部、
４１    接続チューブ、
４２    三方活栓本体、
５１    シースチューブ２１の内径寸法を指標とする第１の情報、
５２    シースチューブ２１の外径寸法を指標とする第２の情報、
６１    第１のシースチューブ、
６２    第２のシースチューブ、
６３    第３のシースチューブ、
７１    第１のシースチューブ、
７２    第２のシースチューブ、
７３    第３のシースチューブ。
【図１】
0003195510.tif 000008
【図２】
0003195510.tif 000009
【図３】
0003195510.tif 000010
【図４】
0003195510.tif 000011
【図５】
0003195510.tif 000012
【図６】
0003195510.tif 000013
【図７】
0003195510.tif 000014